(57)【要約】【課題】硬いコンクリートの地面を効率よく破壊し、人体に感ずる機械の振動を少なくし、人に優しく、白蝋病の予防も可能な疲労度の少ない作業し易く安価な電動ハンマ補助具を提供する。【解決手段】    前記目的を達成するため、本発明は前後左右に自由に動く車輪１７の付いた鋼鉄製またはアルミ製手押し車台上２に重量物３を載せ、この手押し車台上２の四隅に鉄柱パイプ類４，４A，４B，４C、５、５A、その他マルカンボルト６、６A、電動ハンマ１０、押し手１８等を組み立て、設置構成したものである。鉄製パイプ５Aの取っ手１８を下げると電動ハンマ１０に加わる圧力は人間二人以上の破壊力を簡単に発揮することが実験の結果判明した。  また、電動ハンマ１０を直接人手で掴むよりは電動ハンマ１０本体より離れた位置にある取っ手１８を押し下げるほうが機械からの振動が小さく、従って白蝋病を防ぐことが出来るのでは無いかと思われる利点がある。【選択図】    図１
2006082179.tif 000002
【特許請求の範囲】
【請求項１】
荷物を運ぶ手押し車と、この手押し車上の前後にアーチ型鉄柱パイプ類を立てそのアーチ型鉄柱パイプの前後に一本のパイプを渡し、その中心部に転回可能なマルカンボルト又はジザイクランプを設置し、直角に近い状態に配置されたもう一本のパイプに着脱可能な電動ハンマを設置構成したことを特徴とする電動ハンマ補助具。
【請求項２】
手押し車の台上には移動可能な重量物を設置構成した請求項１に記載の電動ハンマ補助具。
【請求項３】
手押し車台上のパイプ類は一部取り外すことによつて普通の手押し車として活用することの出来る特徴を持つ請求項１又は請求項２に記載の電動ハンマ補助具。
【発明の詳細な説明】
【技術分野】
【０００１】
本発明は地面に穴を開けたり、また、コンクリートを破砕したりする電動ハンマの破砕効率を良くし、電動ハンマの激しい振動による白蝋病など人体への悪影響を最小限に留めるように考慮された電動ハンマ補助具に関するものである。
【背景技術】
【０００２】
従来、この種の作業はトラックに積んだ大型発電機にて電気を発生させ、エアーブレーカーの空圧にて破砕作業するか、家庭用１００ボルトの電気にて一人で電動ハンマを両手にて押さえつけて操作する作業方法が普遍的である。従って地面に対する破壊圧力が弱く、コンクリートの破砕効率も悪く、また、電動ハンマからの激しい振動による白蝋病など人体への悪影響を被る事が多かった。
【発明の開示】
【発明が解決しようとする課題】
【０００３】
一人にて電動ハンマを操作しても人間一人の力では地面やコンクリートなどに対する破砕効率は悪く、電動ハンマからの激しい振動を人間の手に長時間受けることにより白蝋病など人体への悪影響もある。そこで手押し車に重量物３を載せ、ここを梃子の作用点とし、手押し車より直角に配置した別の鉄柱パイプに電動ハンマを支点とし、鉄パイプ棒の先端取っ手を力点とし、所謂、梃子の応用にて地面に対し押す圧力を増強すれば作業時間も短縮でき、又、機械の人体への振動もすくなく、安全性の高い電動ハンマ補助具を求めることを課題とした。
【課題を解決するための手段】
【０００４】
前記目的を達成するため、本発明は前後左右に自由に動く車輪１７の付いた鋼鉄製またはアルミ製手押し車台上２に移動可能な重量物３を載せ、この手押し車台上２の四隅に鉄柱パイプ類４，４A，４B，４C、５、５A、その他マルカンボルト６、６A、電動ハンマ１０、押し手１８等を組み立て、設置構成したものである。
【発明の効果】
【０００５】
以上説明したように本発明に係る電動ハンマ補助具１にあっては、鋼鉄製手押し車上２にある重量物３のため、鉄製パイプ５Aの取っ手１８を下げると電動ハンマ１０に加わる圧力はコンクリートに対し人間二人以上の破壊力を簡単に発揮することが実験の結果判明した。
【０００６】
また、電動ハンマ１０を直接人手で掴むよりは電動ハンマ１０より離れた場所にある取っ手１８を押し下げるほうが機械の振動が少なく、従って白蝋病の予防も可能かと思われる。
【発明を実施するための最良の形態】
【０００７】
以下、本発明の一実施形態に係る電動ハンマ補助具を図面に基ずいて説明する。
図中に全体を符号１で示される電動ハンマ補助具は、鋼鉄製手押し車と鉄パイプ類と重量物、電動ハンマとで構成されたものである。
【０００８】
第１図は本発明の一実施例の構成を示す斜視図である。本実施例では鋼鉄製運搬手押し台上２に移動可能な重量物３を設置し、車台２の四隅に鉄パイプ４，４Bと立て、その上に４A，４Cの鉄製パイプを接続し，２本の４の鉄製パイプ間に鋼鉄製の薄板７を設け穴８を開け、マルカンボルト６Aとの間に鉄製パイプ５を入れる。鉄製パイプ５の中心部に緩やかに締めてあるボルト６又は固定したジザイクランプを設け、鉄製パイプ５Aを交差接続させ、上下左右に動くことが可能な状態にする。取っ手１８の力点を抑えた時に支点錐１６が地面１９のコンクリートを破壊し易くするため作用点６をいずれにも動くように構成してある。
【０００９】
縦２本の鉄製パイプ４の間に鋼鉄製薄板７を溶接し、その幅中心に穴８を開け鉄製パイプ５を差し込んでいる。穴８の位置は鉄製パイプ４Cにあるマルカンボルト６Aの穴と同じ高さで無ければならない。
【００１０】
又、左右に自由に動く鉄製パイプ５Aには少し大きめな短い鉄製パイプ９を取り付け鉄製パイプ９に取り付けられた電動ハンマ１０が前後に自由に動き、いずれの方角に激しく動かしても地面を破砕し易くしてある。
【００１１】
また、短い鉄製パイプ９には回転自在なジザイクランプを取り付けられており、電動ハンマ１０の上部取っ手を挟み、１４の螺子で固定し、電動ハンマ１０に接続されたコード１１、差込１２により作動するようになっている。
【００１２】
鋼鉄製パイプ４B、４C、５、５Aを手押し車台２より取り外せば普通の手押し車になり、他の目的のために普段は活用することも可能である。また、手押し車の下部にある車輪１７は前後左右自在に動くようになっている。
【００１３】
鉄製パイプ５Aの先端部にある取っ手１８を下げると電動ハンマ１０の先端部に付いた錐１６が地面１９に刺さりコンクリートを破壊する。取っ手１８は木製にゴム製の物、またはそれに似たような柔らかい物を接着しているため、電動ハンマ１０からの強い振動を和らげることが出来るように配慮されている。
【図面の簡単な説明】
【００１４】
【図１】本発明の一実施形態に係る電動ハンマ補助具の斜視図である。
【図２】図１のA―A線における電動ハンマを除いた断面図である。
【図３】図１を前正面から見た図である。
【図４】図１を横正面から見た図である。
【図５】図１にある点線円内にある符号６A周辺の詳細図である。
【符号の説明】
【００１５】
１              電動ハンマ補助具
２              鋼鉄製手押し車（アルミ製可）
３              移動可能な重量物（砂類、水、コンクリートブロック、その他）
４、４B、４C    鉄パイプ
５、５A        鉄パイプ
６              マルカンボルト又はジザイクランプ
６A            マルカンボルト 
７              薄い鋼鉄製板
８              穴
９              パイプ
１０            電動ハンマ
１１            電線
１２            コード差込
１３            ジザイクランプ
１４            ネジ
１５            電動ハンマの取っ手
１６            錐
１７            車輪
１８            押し手
１９            地面
２０            止めがね
２１            ナット
【図１】
2006082179.tif 000003
【図２】
2006082179.tif 000004
【図３】
2006082179.tif 000005
【図４】
2006082179.tif 000006
【図５】
2006082179.tif 000007